【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
上りリンクデータ送信許可信号で割り当てられた物理上りリンク共用チャネルを使用して、移動局装置が、上りリンクデータを基地局装置へ送信する移動通信システムであって、
前記基地局装置は、
前記上りリンクデータ送信許可信号に含まれる所定のビットフィールドに所定の値を設定して前記移動局装置へ送信し、
前記移動局装置は、
前記上りリンクデータ送信許可信号に含まれる前記所定のビットフィールドに前記所定の値が設定されている場合には、上りリンクデータを伴わずに受信品質情報を前記物理上りリンク共用チャネルを使用して前記基地局装置へ送信し、
前記所定のビットフィールドは、
受信品質情報の送信を指示するために使用されるビットフィールドとＨＡＲＱリダンダンシーバージョンを指示するために使用されるビットフィールドとを含む
ことを特徴とする移動通信システム。
【請求項２】
上りリンクデータ送信許可信号で割り当てられた物理上りリンク共用チャネルを使用して、移動局装置が、上りリンクデータを基地局装置へ送信する移動通信システムであって、
前記基地局装置は、
前記上りリンクデータ送信許可信号に含まれる所定のビットフィールドに所定の値を設定して前記移動局装置へ送信し、
前記移動局装置は、
前記上りリンクデータ送信許可信号に含まれる前記所定のビットフィールドに前記所定の値が設定されている場合には、上りリンクデータを伴わずに受信品質情報を前記物理上りリンク共用チャネルを使用して前記基地局装置へ送信し、
前記所定のビットフィールドは、
受信品質情報の送信を指示するために使用されるビットフィールドとＭＣＳを指示するために使用されるビットフィールドとを含む
ことを特徴とする移動通信システム。
【請求項３】
上りリンクデータ送信許可信号で割り当てられた物理上りリンク共用チャネルを使用して、移動局装置が、上りリンクデータを基地局装置へ送信する移動通信システムであって、
前記基地局装置は、
前記上りリンクデータ送信許可信号に含まれる所定のビットフィールドに所定の値を設定して前記移動局装置へ送信し、
前記移動局装置は、
前記上りリンクデータ送信許可信号に含まれる前記所定のビットフィールドに所定の値が設定されている場合には、上りリンクデータを伴わずに受信品質情報を前記物理上りリンク共用チャネルを使用して前記基地局装置へ送信し、
前記所定のビットフィールドは、
受信品質情報の送信を指示するために使用されるビットフィールドとトランスポートブロックサイズを指示するために使用されるビットフィールドとを含む
ことを特徴とする移動通信システム。
【請求項４】
上りリンクデータ送信許可信号で割り当てられた物理上りリンク共用チャネルを使用して、上りリンクデータを基地局装置へ送信する移動局装置であって、
前記上りリンクデータ送信許可信号を前記基地局装置から受信する手段と、
前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信する手段と、を備え、
前記所定のビットフィールドは、
受信品質情報の送信を指示するために使用されるビットフィールドとＨＡＲＱリダンダンシーバージョンを指示するために使用されるビットフィールドとを含む
ことを特徴とする移動局装置。
【請求項５】
上りリンクデータ送信許可信号で割り当てられた物理上りリンク共用チャネルを使用して、上りリンクデータを基地局装置へ送信する移動局装置であって、
前記上りリンクデータ送信許可信号を前記基地局装置から受信する手段と、
前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信する手段と、を備え、
前記所定のビットフィールドは、
受信品質情報の送信を指示するために使用されるビットフィールドとＭＣＳを指示するために使用されるビットフィールドとを含む
ことを特徴とする移動局装置。
【請求項６】
上りリンクデータ送信許可信号で割り当てられた物理上りリンク共用チャネルを使用して、上りリンクデータを基地局装置へ送信する移動局装置であって、
前記上りリンクデータ送信許可信号を前記基地局装置から受信する手段と、
前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信する手段と、を備え、
前記所定のビットフィールドは、
受信品質情報の送信を指示するために使用されるビットフィールドとトランスポートブロックサイズを指示するために使用されるビットフィールドとを含む
ことを特徴とする移動局装置。
【請求項７】
上りリンクデータ送信許可信号で割り当てられた物理上りリンク共用チャネルを使用して、上りリンクデータを基地局装置へ送信する移動局装置の通信方法であって、
前記上りリンクデータ送信許可信号を前記基地局装置から受信し、
前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信し、
前記所定のビットフィールドは、
受信品質情報の送信を指示するために使用されるビットフィールドとＨＡＲＱリダンダンシーバージョンを指示するために使用されるビットフィールドとを含む
ことを特徴とする通信方法。
【請求項８】
上りリンクデータ送信許可信号で割り当てられた物理上りリンク共用チャネルを使用して、上りリンクデータを基地局装置へ送信する移動局装置の通信方法であって、
前記上りリンクデータ送信許可信号を前記基地局装置から受信し、
前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信し、
前記所定のビットフィールドは、
受信品質情報の送信を指示するために使用されるビットフィールドとＭＣＳを指示するために使用されるビットフィールドとを含む
ことを特徴とする通信方法。
【請求項９】
上りリンクデータ送信許可信号で割り当てられた物理上りリンク共用チャネルを使用して、上りリンクデータを基地局装置へ送信する移動局装置の通信方法であって、
前記上りリンクデータ送信許可信号を前記基地局装置から受信し、
前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信し、
前記所定のビットフィールドは、
受信品質情報の送信を指示するために使用されるビットフィールドとトランスポートブロックサイズを指示するために使用されるビットフィールドとを含む
ことを特徴とする通信方法。
【手続補正２】
【補正対象書類名】明細書
【補正対象項目名】００１５
【補正方法】変更
【補正の内容】
【００１５】
（１）本発明は、上りリンクデータ送信許可信号で割り当てられた物理上りリンク共用チャネルを使用して、移動局装置が、上りリンクデータを基地局装置へ送信する移動通信システムであって、前記基地局装置は、前記上りリンクデータ送信許可信号に含まれる所定のビットフィールドに所定の値を設定して前記移動局装置へ送信し、前記移動局装置は、前記上りリンクデータ送信許可信号に含まれる前記所定のビットフィールドに前記所定の値が設定されている場合には、上りリンクデータを伴わずに受信品質情報を前記物理上りリンク共用チャネルを使用して前記基地局装置へ送信し、前記所定のビットフィールドは、受信品質情報の送信を指示するために使用されるビットフィールドとＨＡＲＱリダンダンシーバージョンを指示するために使用されるビットフィールドとを含むことを特徴とする移動通信システムである。
【手続補正３】
【補正対象書類名】明細書
【補正対象項目名】００１６
【補正方法】変更
【補正の内容】
【００１６】
（２）また、本発明は、上りリンクデータ送信許可信号で割り当てられた物理上りリンク共用チャネルを使用して、移動局装置が、上りリンクデータを基地局装置へ送信する移動通信システムであって、前記基地局装置は、前記上りリンクデータ送信許可信号に含まれる所定のビットフィールドに所定の値を設定して前記移動局装置へ送信し、前記移動局装置は、前記上りリンクデータ送信許可信号に含まれる前記所定のビットフィールドに前記所定の値が設定されている場合には、上りリンクデータを伴わずに受信品質情報を前記物理上りリンク共用チャネルを使用して前記基地局装置へ送信し、前記所定のビットフィールドは、受信品質情報の送信を指示するために使用されるビットフィールドとＭＣＳを指示するために使用されるビットフィールドとを含むことを特徴とする移動通信システムである。
【手続補正４】
【補正対象書類名】明細書
【補正対象項目名】００１７
【補正方法】変更
【補正の内容】
【００１７】
（３）また、本発明は、上りリンクデータ送信許可信号で割り当てられた物理上りリンク共用チャネルを使用して、移動局装置が、上りリンクデータを基地局装置へ送信する移動通信システムであって、前記基地局装置は、前記上りリンクデータ送信許可信号に含まれる所定のビットフィールドに所定の値を設定して前記移動局装置へ送信し、前記移動局装置は、前記上りリンクデータ送信許可信号に含まれる前記所定のビットフィールドに所定の値が設定されている場合には、上りリンクデータを伴わずに受信品質情報を前記物理上りリンク共用チャネルを使用して前記基地局装置へ送信し、前記所定のビットフィールドは、受信品質情報の送信を指示するために使用されるビットフィールドとトランスポートブロックサイズを指示するために使用されるビットフィールドとを含むことを特徴とする移動通信システムである。
【手続補正５】
【補正対象書類名】明細書
【補正対象項目名】００１８
【補正方法】変更
【補正の内容】
【００１８】
（４）本発明は、上りリンクデータ送信許可信号で割り当てられた物理上りリンク共用チャネルを使用して、上りリンクデータを基地局装置へ送信する移動局装置であって、前記上りリンクデータ送信許可信号を前記基地局装置から受信する手段と、前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信する手段と、を備え、前記所定のビットフィールドは、受信品質情報の送信を指示するために使用されるビットフィールドとＨＡＲＱリダンダンシーバージョンを指示するために使用されるビットフィールドとを含むことを特徴とする移動局装置である。
【手続補正６】
【補正対象書類名】明細書
【補正対象項目名】００１９
【補正方法】変更
【補正の内容】
【００１９】
（５）また、本発明は、上りリンクデータ送信許可信号で割り当てられた物理上りリンク共用チャネルを使用して、上りリンクデータを基地局装置へ送信する移動局装置であって、前記上りリンクデータ送信許可信号を前記基地局装置から受信する手段と、前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信する手段と、を備え、前記所定のビットフィールドは、受信品質情報の送信を指示するために使用されるビットフィールドとＭＣＳを指示するために使用されるビットフィールドとを含むことを特徴とする移動局装置である。
【手続補正７】
【補正対象書類名】明細書
【補正対象項目名】００２０
【補正方法】変更
【補正の内容】
【００２０】
（６）また、本発明は、上りリンクデータ送信許可信号で割り当てられた物理上りリンク共用チャネルを使用して、上りリンクデータを基地局装置へ送信する移動局装置であって、前記上りリンクデータ送信許可信号を前記基地局装置から受信する手段と、前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信する手段と、を備え、前記所定のビットフィールドは、受信品質情報の送信を指示するために使用されるビットフィールドとトランスポートブロックサイズを指示するために使用されるビットフィールドとを含むことを特徴とする移動局装置である。
【手続補正８】
【補正対象書類名】明細書
【補正対象項目名】００２１
【補正方法】変更
【補正の内容】
【００２１】
（７）また、本発明は、上りリンクデータ送信許可信号で割り当てられた物理上りリンク共用チャネルを使用して、上りリンクデータを基地局装置へ送信する移動局装置の通信方法であって、前記上りリンクデータ送信許可信号を前記基地局装置から受信し、前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信し、前記所定のビットフィールドは、受信品質情報の送信を指示するために使用されるビットフィールドとＨＡＲＱリダンダンシーバージョンを指示するために使用されるビットフィールドとを含むことを特徴とする通信方法である。
【手続補正９】
【補正対象書類名】明細書
【補正対象項目名】００２２
【補正方法】変更
【補正の内容】
【００２２】
（８）また、本発明は、上りリンクデータ送信許可信号で割り当てられた物理上りリンク共用チャネルを使用して、上りリンクデータを基地局装置へ送信する移動局装置の通信方法であって、前記上りリンクデータ送信許可信号を前記基地局装置から受信し、前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信し、前記所定のビットフィールドは、受信品質情報の送信を指示するために使用されるビットフィールドとＭＣＳを指示するために使用されるビットフィールドとを含むことを特徴とする通信方法である。
【手続補正１０】
【補正対象書類名】明細書
【補正対象項目名】００２３
【補正方法】変更
【補正の内容】
【００２３】
（９）また、本発明は、上りリンクデータ送信許可信号で割り当てられた物理上りリンク共用チャネルを使用して、上りリンクデータを基地局装置へ送信する移動局装置の通信方法であって、前記上りリンクデータ送信許可信号を前記基地局装置から受信し、前記上りリンクデータ送信許可信号に含まれる所定のビットフィールドに所定の値が設定されている場合には、上りリンクデータを伴わずに受信品質情報を前記物理上りリンク共用チャネルを使用して前記基地局装置へ送信し、前記所定のビットフィールドは、受信品質情報の送信を指示するために使用されるビットフィールドとトランスポートブロックサイズを指示するために使用されるビットフィールドとを含むことを特徴とする通信方法である。